【手続補正書】
【提出日】令和2年4月17日(2020.4.17)
【手続補正１】
【補正対象書類名】特許請求の範囲
【補正対象項目名】全文
【補正方法】変更
【補正の内容】
【特許請求の範囲】
【請求項１】
第１のワイヤレスノードによって実行されるワイヤレス通信のための方法であって、
ライセンススペクトラムにおいて第１の直交周波数分割多元接続（ＯＦＤＭＡ）通信信号を第２のワイヤレスノードに送信することと、
前記第１のＯＦＤＭＡ通信信号の前記送信と同時に、アンライセンススペクトラムにおいて第２のＯＦＤＭＡ通信信号を前記第２のワイヤレスノードに送信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記第２のワイヤレスノードから受信することと、
前記第１のＳＣ−ＦＤＭＡ通信信号の前記受信と同時に、前記アンライセンススペクトラムにおいて第２のＳＣ−ＦＤＭＡ通信信号を前記第２のワイヤレスノードから受信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を備える方法。
【請求項２】
前記オフセットは０に等しい、請求項１に記載の方法。
【請求項３】
前記ライセンススペクトラムにおいて前記第２のワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項１に記載の方法。
【請求項４】
前記第１のＯＦＤＭＡ通信信号および前記第２のＯＦＤＭＡ通信信号の前記送信と同時に、前記ライセンススペクトラムにおいて前記第２のワイヤレスノードから前記第１のＳＣ−ＦＤＭＡ通信信号を受信し、前記アンライセンススペクトラムにおいて前記第２のワイヤレスノードから前記第２のＳＣ−ＦＤＭＡ通信信号を受信することをさらに備える、請求項１に記載の方法。
【請求項５】
前記第２のワイヤレスノードはユーザ機器（ＵＥ）を備える、請求項１に記載の方法。
【請求項６】
前記第１のワイヤレスノードは進化型ノードＢ（ｅＮＢ）を備える、請求項１に記載の方法。
【請求項７】
前記第１のＯＦＤＭＡ通信信号および前記第２のＯＦＤＭＡ通信信号の各々は、ロングタームエボリューション（ＬＴＥ）信号を備える、請求項１に記載の方法。
【請求項８】
ワイヤレス通信のための装置であって、
ライセンススペクトラムにおいて第１の直交周波数分割多元接続（ＯＦＤＭＡ）通信信号をワイヤレスノードに送信するための手段と、
前記第１のＯＦＤＭＡ通信信号の前記送信と同時に、アンライセンススペクトラムにおいて第２のＯＦＤＭＡ通信信号を前記ワイヤレスノードに送信するための手段と、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信するための手段と、
前記第１のＳＣ−ＦＤＭＡ通信信号の前記受信と同時に、前記アンライセンススペクトラムにおいて第２のＳＣ−ＦＤＭＡ通信信号を前記ワイヤレスノードから受信するための手段と、前記第２のＳＣ−ＦＤＭＡ通信信号は、インターリーブされた信号に限定され、前記インターリーブされた信号は、前記アンライセンススペクトラムにおける公称帯域幅占有率を上げる、
を備える装置。
【請求項９】
前記オフセットは０に等しい、請求項８に記載の装置。
【請求項１０】
前記ライセンススペクトラムにおいて前記ワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項８に記載の装置。
【請求項１１】
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信するための手段をさらに備える、請求項８に記載の装置。
【請求項１２】
前記ワイヤレスノードはユーザ機器（ＵＥ）を備える、請求項８に記載の装置。
【請求項１３】
前記第１のＯＦＤＭＡ通信信号および前記第２のＯＦＤＭＡ通信信号は、進化型ノードＢ（ｅＮＢ）から送信される、請求項８に記載の装置。
【請求項１４】
前記第１のＯＦＤＭＡ通信信号および前記第２のＯＦＤＭＡ通信信号の各々は、ロングタームエボリューション（ＬＴＥ）信号を備える、請求項８に記載の装置。
【請求項１５】
ワイヤレス通信のための装置であって、
プロセッサと、
前記プロセッサと電気的に通信しているメモリと、
前記メモリに記憶された命令と、を備え、前記命令は、
ライセンススペクトラムにおいて第１の直交周波数分割多元接続（ＯＦＤＭＡ）通信信号をワイヤレスノードに送信することと、
前記第１のＯＦＤＭＡ通信信号の前記送信と同時に、アンライセンススペクトラムにおいて第２のＯＦＤＭＡ通信信号を前記ワイヤレスノードに送信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信することと、
前記第１のＳＣ−ＦＤＭＡ通信信号の前記受信と同時に、前記アンライセンススペクトラムにおいて第２のＳＣ−ＦＤＭＡ通信信号を前記ワイヤレスノードから受信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を、前記プロセッサによって実行可能である、装置。
【請求項１６】
前記オフセットは０に等しい、請求項１５に記載の装置。
【請求項１７】
前記ライセンススペクトラムにおいて前記ワイヤレスノードから受信される前記第１のＳＣ−ＦＤＭＡ通信信号は、前記アンライセンススペクトラムにおいて送信される前記第２のＯＦＤＭＡ通信信号に関するシグナリング情報または他の制御情報を搬送する、請求項１５に記載の装置。
【請求項１８】
前記命令は、
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信することを、前記プロセッサによって実行可能である、請求項１５に記載の装置。
【請求項１９】
前記ワイヤレスノードはユーザ機器（ＵＥ）を備える、請求項１５に記載の装置。
【請求項２０】
前記第１のＯＦＤＭＡ通信信号および前記第２のＯＦＤＭＡ通信信号は、進化型ノードＢ（ｅＮＢ）から送信される、請求項１５に記載の装置。
【請求項２１】
前記第１のＯＦＤＭＡ通信信号および前記第２のＯＦＤＭＡ通信信号の各々は、ロングタームエボリューション（ＬＴＥ）信号を備える、請求項１５に記載の装置。
【請求項２２】
ワイヤレス通信システムにおけるワイヤレス通信装置による通信のための非一時的コンピュータ可読記憶媒体であって、前記非一時的コンピュータ可読記憶媒体は、前記ワイヤレス通信装置に、
ライセンススペクトラムにおいて第１の直交周波数分割多元接続（ＯＦＤＭＡ）通信信号をワイヤレスノードへ送信することと、
前記第１のＯＦＤＭＡ通信信号の前記送信と同時に、アンライセンススペクトラムにおいて第２のＯＦＤＭＡ通信信号を前記ワイヤレスノードへ送信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて第１のシングルキャリア周波数分割多元接続（ＳＣ−ＦＤＭＡ）通信信号を前記ワイヤレスノードから受信することと、
前記第１のＳＣ−ＦＤＭＡ通信信号の前記受信と同時に、前記アンライセンススペクトラムにおいて第２のＳＣ−ＦＤＭＡ通信信号を前記ワイヤレスノードから受信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を、行わせるためにプロセッサによって実行可能な命令を記憶した、非一時的コンピュータ可読記憶媒体。
【請求項２３】
前記オフセットは０に等しい、請求項２２に記載の非一時的コンピュータ可読記憶媒体。
【請求項２４】
前記命令は、前記ワイヤレス通信装置に、
前記第１のＯＦＤＭＡ通信信号および前記第２のＯＦＤＭＡ通信信号の前記送信と同時に、前記ライセンススペクトラムにおいて前記ワイヤレスノードから前記第１のＳＣ−ＦＤＭＡ通信信号を受信し、前記アンライセンススペクトラムにおいて前記ワイヤレスノードから前記第２のＳＣ−ＦＤＭＡ通信信号を受信することを行わせるために、前記プロセッサによって実行可能である、請求項２２に記載の非一時的コンピュータ可読記憶媒体。
【請求項２５】
前記ワイヤレスノードはユーザ機器（ＵＥ）を備える、請求項２２に記載の非一時的コンピュータ可読記憶媒体。
【請求項２６】
第１のワイヤレスノードによって実行されるワイヤレス通信のための方法であって、
ライセンススペクトラムにおいて第１の直交周波数分割多元接続（ＯＦＤＭＡ）通信信号を第２のワイヤレスノードから受信することと、
前記第１のＯＦＤＭＡ通信信号の前記受信と同時に、アンライセンススペクトラムにおいて第２のＯＦＤＭＡ通信信号を前記第２のワイヤレスノードから受信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて前記第２のワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記第２のワイヤレスノードに第２のＳＣ−ＦＤＭＡ通信信号を送信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を備える方法。
【請求項２７】
前記ライセンススペクトラムにおいて前記第２のワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項２６に記載の方法。
【請求項２８】
前記第１のＯＦＤＭＡ通信信号および前記第２のＯＦＤＭＡ通信信号の前記受信と同時に、前記ライセンススペクトラムにおいて前記第２のワイヤレスノードに前記第１のＳＣ−ＦＤＭＡ通信信号を送信し、前記アンライセンススペクトラムにおいて前記第２のワイヤレスノードに前記第２のＳＣ−ＦＤＭＡ通信信号を送信することをさらに備える、請求項２６に記載の方法。
【請求項２９】
前記第２のワイヤレスノードは進化型ノードＢ（ｅＮＢ）を備える、請求項２６に記載の方法。
【請求項３０】
前記第１のワイヤレスノードはユーザ機器（ＵＥ）を備え、前記オフセットは０に等しい、請求項２６に記載の方法。
【請求項３１】
前記第１のＯＦＤＭＡ通信信号および前記第２のＯＦＤＭＡ通信信号の各々は、ロングタームエボリューション（ＬＴＥ）信号を備える、請求項２６に記載の方法。
【請求項３２】
ワイヤレス通信のための装置であって、
ライセンススペクトラムにおいて第１の直交周波数分割多元接続（ＯＦＤＭＡ）通信信号をワイヤレスノードから受信するための手段と、
前記第１のＯＦＤＭＡ通信信号の前記受信と同時に、アンライセンススペクトラムにおいて第２のＯＦＤＭＡ通信信号を前記ワイヤレスノードから受信するための手段と、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信するための手段と、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信するための手段と、前記第２のＳＣ−ＦＤＭＡ通信信号は、インターリーブされた信号に限定され、前記インターリーブされた信号は、前記アンライセンススペクトラムにおける公称帯域幅占有率を上げる、
を備える装置。
【請求項３３】
前記ライセンススペクトラムにおいて前記ワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項３２に記載の装置。
【請求項３４】
前記第１のＯＦＤＭＡ通信信号および前記第２のＯＦＤＭＡ通信信号の前記受信と同時に、前記ライセンススペクトラムにおいて前記ワイヤレスノードに前記第１のＳＣ−ＦＤＭＡ通信信号を送信し、前記アンライセンススペクトラムにおいて前記ワイヤレスノードに前記第２のＳＣ−ＦＤＭＡ通信信号を送信するための手段をさらに備える、請求項３２に記載の装置。
【請求項３５】
前記ワイヤレスノードは進化型ノードＢ（ｅＮＢ）を備える、請求項３２に記載の装置。
【請求項３６】
前記第１のＯＦＤＭＡ通信信号および前記第２のＯＦＤＭＡ通信信号は、ユーザ機器（ＵＥ）において受信され、前記オフセットは０に等しい、請求項３２に記載の装置。
【請求項３７】
前記第１のＯＦＤＭＡ通信信号および前記第２のＯＦＤＭＡ通信信号の各々は、ＬＴＥ信号を備える、請求項３２に記載の装置。
【請求項３８】
ワイヤレス通信のための装置であって、
プロセッサと、
前記プロセッサと電気的に通信しているメモリと、
前記メモリに記憶された命令と、
を備え、前記命令は、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を、前記プロセッサによって実行可能である、装置。
【請求項３９】
前記ライセンススペクトラムにおいて前記ワイヤレスノードに送信される前記第１のＳＣ−ＦＤＭＡ通信信号は、前記アンライセンススペクトラムにおいて受信される前記第２のＯＦＤＭＡ通信信号に関するシグナリング情報または他の制御情報を搬送する、請求項３８に記載の装置。
【請求項４０】
前記命令は、
前記第１のＯＦＤＭＡ通信信号および前記第２のＯＦＤＭＡ通信信号の前記受信と同時に、前記ライセンススペクトラムにおいて前記ワイヤレスノードに前記第１のＳＣ−ＦＤＭＡ通信信号を送信し、前記アンライセンススペクトラムにおいて前記ワイヤレスノードに前記第２のＳＣ−ＦＤＭＡ通信信号を送信することを、前記プロセッサによって実行可能である、請求項３８に記載の装置。
【請求項４１】
前記ワイヤレスノードは進化型ノードＢ（ｅＮＢ）を備える、請求項３８に記載の装置。
【請求項４２】
前記第１のＯＦＤＭＡ通信信号および前記第２のＯＦＤＭＡ通信信号は、ユーザ機器（ＵＥ）において受信され、前記オフセットは０に等しい、請求項３８に記載の装置。
【請求項４３】
前記第１のＯＦＤＭＡ通信信号および前記第２のＯＦＤＭＡ通信信号の各々は、ＬＴＥ信号を備える、請求項３８に記載の装置。
【請求項４４】
ワイヤレス通信システムにおけるワイヤレス通信装置による通信のための非一時的コンピュータ可読記憶媒体であって、前記非一時的コンピュータ可読記憶媒体は、前記ワイヤレス通信装置に、
ライセンススペクトラムにおいて第１の直交周波数分割多元接続（ＯＦＤＭＡ）通信信号をワイヤレスノードから受信することと、
前記第１のＯＦＤＭＡ通信信号の前記受信と同時に、アンライセンススペクトラムにおいて第２のＯＦＤＭＡ通信信号を前記ワイヤレスノードから受信することと、前記アンライセンススペクトラムにおける前記第２のＯＦＤＭＡ通信信号は、前記第１のＯＦＤＭＡ通信信号のフレーム構造と前記第２のＯＦＤＭＡ通信信号のフレーム構造との間にオフセットを伴って、前記ライセンススペクトラムにおける前記第１のＯＦＤＭＡ通信信号と時間同期され、
前記ライセンススペクトラムにおいて前記ワイヤレスノードに第１のシングルキャリア周波数分割多元接続（ＳＣ−ＦＤＭＡ）通信信号を送信することと、
前記第１のＳＣ−ＦＤＭＡ通信信号の前記送信と同時に、前記アンライセンススペクトラムにおいて前記ワイヤレスノードに第２のＳＣ−ＦＤＭＡ通信信号を送信することと、前記第２のＳＣ−ＦＤＭＡ通信信号は、インターリーブされた信号に限定され、前記インターリーブされた信号は、前記アンライセンススペクトラムにおける公称帯域幅占有率を上げる、
を、行わせるためにプロセッサによって実行可能な命令を記憶した、非一時的コンピュータ可読記憶媒体。
【請求項４５】
前記ワイヤレスノードは進化型ノードＢ（ｅＮＢ）を備える、請求項４４に記載の非一時的コンピュータ可読記憶媒体。